(57)【要約】    【課題】プッシュプル方式によるトラッキング制御を採用して記録ディスクに対して情報データの再生を行う際に、迅速に再生動作を開始させることが可能な記録ディスク及び記録情報再生装置を提供することを目的とする。    【解決手段】ＢＣＡ（burst cutting area）に、プッシュプル読取信号の極性を示す識別情報を予め記録しておく。    【選択図】図２
2006092732.tif 000002
【特許請求の範囲】
【請求項１】
少なくとも１の記録層を有する記録ディスクであって、
情報データを記録する又は情報データが予め記録されている情報データ領域と、
ディスク識別情報が記録されているリードイン領域と、
前記記録層から得られるプッシュプル読取信号の極性を示す極性識別情報が記録されているＢＣＡ（burst cutting area）と、を備えたことを特徴とする記録ディスク。
【請求項２】
前記リードイン領域内には、前記ディスク識別情報に基づくウォブル状のトラックが形成されていることを特徴とする請求項１記載の記録ディスク。
【請求項３】
前記ＢＣＡにおける各トラック上には複数のＢＣＡユニットが配置されており、
互いに隣接する前記ＢＣＡユニット間には所定のギャップ領域が設けられており、
前記ＢＣＡユニット各々の終端部には誤り検出符号が記録されていることを特徴とする請求項１記載の記録ディスク。
【請求項４】
少なくとも１の記録層を有し、情報データが予め記録されている情報データ領域と、ディスク識別情報が記録されているリードイン領域と、前記記録層から得られるプッシュプル読取信号の極性を示す極性識別情報が記録されているＢＣＡ（burst cutting area）と、を備えた記録ディスクから読み取られた読取信号に基づいて記録情報を再生する記録情報再生装置であって、
前記読取信号に基づいて前記ＢＣＡに記録されている前記極性識別情報を再生する極性識別情報再生手段と、
前記リードイン領域の読み取りに対応した前記読取信号及び前記極性識別情報に基づいてプッシュプル読取信号を生成するプッシュプル読取信号生成手段と、
前記プッシュプル読取信号に基づいて前記リードイン領域に記録されている前記ディスク識別情報を再生するディスク識別情報再生手段と、
前記ディスク識別情報に基づく再生処理により前記読取信号から前記情報データ領域に記録されている前記情報データを再生する情報データ再生手段と、を有することを特徴とする記録情報再生装置。
【発明の詳細な説明】
【技術分野】
【０００１】
本発明は、記録ディスク、及びかかる記録ディスクから記録情報の再生を行う記録情報再生装置に関する。
【背景技術】
【０００２】
現在、音声、映像、及びコンピュータデータ等の情報データが予め記録されている読取専用の光学式記録媒体としてＤＶＤ−ＲＯＭが普及している。ＤＶＤ−ＲＯＭは、例えば第１記録層及び第２記録層からなる２層の記録面を有する。かかるＤＶＤ−ＲＯＭにおける読取ビーム光の照射側である上面側から第１記録層を眺めると、情報データを担う記録ピット列が螺旋状又は同心円状のトラック上に形成されている。又、ＤＶＤ−ＲＯＭの下面から上記第２記録層を眺めると、情報データを担う記録ピット列が螺旋状又は同心円状のトラック上に形成されている。つまり、ＤＶＤ−ＲＯＭの上面から第１及び第２記録層を眺めた場合には、第１記録層に形成されている記録ピットの各々は凸状であるが、第２記録層に形成されている記録ピットの各々は凹状となる。そこで、以下、第１記録層に記録されている記録ピットを凸状記録ピット、第２記録層に記録されている記録ピットを凹状記録ピットと称する。
【０００３】
かかるＤＶＤ−ＲＯＭから記録情報の再生を行う従来の再生装置では、ＤＰＤ(Differential Phase Detection)方式によるトラッキングサーボを実施する。ＤＰＤ方式によるトラッキング制御では、記録ディスクにビーム光を照射した際の反射光を図１に示す如き形態にて配列された４つの光検出器２０ａ〜２０ｄにて個別に受光して光電変換して得られた読取信号Ｒａ〜Ｒｄを用いる。そして、これら読取信号Ｒａ〜Ｒｄを用いた下記演算により高周波信号と対角線差信号を得て、両者の位相差を誤差信号としてトラッキング制御を実施するのである。
【０００４】
高周波信号＝Ｒａ＋Ｒｂ＋Ｒｃ＋Ｒｄ
対角線差信号＝(Ｒａ＋Ｒｃ)−(Ｒｂ＋Ｒｄ)
かかるＤＰＤ方式を採用することにより、凸状記録ピットが記録されている第１記録層、及び凹状記録ピットが記録されている第２記録層のいずれに対しても、良好なトラッキング制御が為される。
【０００５】
一方、書込可能なＤＶＤ−Ｒ又はＤＶＤ−ＲＷの如き記録ディスクには、ディスク上の位置を表すディスクアドレスに対応したウォブル形態を有する記録トラックが予め形成されている。かかるＤＶＤ−Ｒ又はＤＶＤ−ＲＷに対して情報データの記録及び再生を行う記録情報再生装置では、記録ディスクに形成されている記録トラックのウォブル形態を読み取ることによりディスク上の位置を認識しつつ情報データの記録を行う。この際、記録トラックのウォブル形態を読み取るべくプッシュプル信号を用いる。プッシュプル信号は、図１に示す如き４つの光検出器２０ａ〜２０ｄにて個別に受光して光電変換して得られた読取信号Ｒａ〜Ｒｄを用いた下記演算により得られる。
【０００６】
プッシュプル信号＝(Ｒａ＋Ｒｂ)−(Ｒｃ＋Ｒｄ)
更に、かかる記録情報再生装置では、上記プッシュプル信号に基づいてトラッキングサーボを実行する。すなわち、ＤＶＤ−Ｒ又はＤＶＤ−ＲＷの如き記録ディスクに対して情報データの記録及び再生を行う記録情報再生装置は、上記プッシュプル信号に基づき、記録トラックのウォブル形態に対応したディスクアドレスを取得しつつトラッキングサーボを実行するのである。
【０００７】
従って、ＤＶＤ−Ｒ、ＤＶＤ−ＲＷ及びＤＶＤ−ＲＯＭのいずれにも対応した従来の記録情報再生装置内には、上記プッシュプル信号、高周波信号及び対角線差信号を夫々得る為の専用の演算回路が搭載されており、装置構成が大規模になるという問題があった。そこで、上記プッシュプル信号のみで、ＤＶＤ−Ｒ、ＤＶＤ−ＲＷ及びＤＶＤ−ＲＯＭのいずれに対してもトラッキングサーボを実施することが可能な記録情報再生装置が望まれていた。
【０００８】
ところが、上述した如きＤＶＤ−ＲＯＭの第１記録層から凸状記録ピット列を読み取った際に得られるプッシュプル信号と、第２記録層から凹状記録ピット列を読み取った際に得られるプッシュプル信号とは互いに逆極性になる。よって、このようなＤＶＤ−ＲＯＭから記録情報の再生を行うには、先ず、再生対象となった記録層から試し読み取りを行う。この際、適切なトラッキング制御が為されなかった場合にはプッシュプル信号の極性を反転させてから、再び最初の位置に戻って読取動作をやり直すのである。
【０００９】
従って、凹状記録ピット列が記録されている記録層と凸状記録ピット列が記録されている記録層とを備えた多層の記録ディスク、あるいは記録ピットの凸凹形状が規定されていない単層の記録ディスクに対してプッシュプル信号を用いたトラッキング制御を実行すると、読取動作が直ちに開始されない場合が生じる。
【発明の開示】
【発明が解決しようとする課題】
【００１０】
本発明は、かかる問題を解決せんとして為されたものであり、プッシュプル方式によるトラッキング制御を採用して記録ディスクに対して情報データの再生を行う際に、迅速に再生動作を開始させることが可能な記録ディスク及び記録情報再生装置を提供することを目的とする。
【課題を解決するための手段】
【００１１】
請求項１記載による記録ディスクは、少なくとも１の記録層を有する記録ディスクであって、情報データを記録する又は情報データが予め記録されている情報データ領域と、ディスク識別情報が記録されているリードイン領域と、前記記録層から得られるプッシュプル読取信号の極性を示す極性識別情報が記録されているＢＣＡ（burst cutting area）と、を備える。
【００１２】
又、請求項４記載による記録情報再生装置は、少なくとも１の記録層を有し、情報データが予め記録されている情報データ領域と、ディスク識別情報が記録されているリードイン領域と、前記記録層から得られるプッシュプル読取信号の極性を示す極性識別情報が記録されているＢＣＡ（burst cutting area）と、を備えた記録ディスクから読み取られた読取信号に基づいて記録情報を再生する記録情報再生装置であって、前記読取信号に基づいて前記ＢＣＡに記録されている前記極性識別情報を再生する極性識別情報再生手段と、前記リードイン領域の読み取りに対応した前記読取信号及び前記極性識別情報に基づいてプッシュプル読取信号を生成するプッシュプル読取信号生成手段と、前記プッシュプル読取信号に基づいて前記リードイン領域に記録されている前記ディスク識別情報を再生するディスク識別情報再生手段と、前記ディスク識別情報に基づく再生処理により前記読取信号から前記情報データ領域に記録されている前記情報データを再生する情報データ再生手段と、を有する。
【発明を実施するための最良の形態】
【００１３】
少なくとも１の記録層を有する記録ディスクに、ディスク識別情報が記録されているリードイン領域と、プッシュプル読取信号の極性を示す極性識別情報が記録されているＢＣＡ（burst cutting area）と、を備える。
【実施例】
【００１４】
図２(ａ)及び図２(ｂ)は、本発明による記録ディスクの概略構成の一例を示す図である。
【００１５】
図２(ａ)は、かかる記録ディスクの断面を示す図である。
【００１６】
図２(ａ)に示すように、かかる記録ディスクには凸状の記録ピットが記録されている第１記録層ＲＹ１と、凹状の記録ピットが記録されている第２記録層ＲＹ２とが設けられている。これら第１記録層ＲＹ１及び第２記録層ＲＹ２の各々は、図２(ｂ)に示すように、情報データ領域１、リードイン領域２、リードアウト領域３、及びＰＥＰ(phase encoded part)領域４に区分けされている。尚、ＰＥＰ領域４は、第１記録層ＲＹ１及び第２記録層ＲＹ２の内の一方のみに設けられていても良い。
【００１７】
情報データ領域１は、映像、音声、コンピュータデータの如き各種情報データが記録されている領域である。又、リードイン領域２は、情報データ領域１に記録されている各情報データ片の記録位置、再生所有時間、ディスク識別情報等を含むリードインデータが記録されている領域である。又、ＰＥＰ領域４は、トラッキング情報、凸凹識別情報等を含む再生制御データが位相符号化処理(後述する)されて記録されている領域である。尚、上記トラッキング情報とは、上記第１記録層ＲＹ１及び第２記録層ＲＹ２から記録情報の読み取りを行う際に実施すべきトラッキング方法を指定する情報である。又、上記凸凹識別情報とは、第１記録層ＲＹ１及び第２記録層ＲＹ２に記録されている記録ピットが夫々凸状であるか、あるいは凹状であるかを示す情報である。
【００１８】
図３は、第１記録層ＲＹ１(又は第２記録層ＲＹ２)における各領域での記録形態の一例をディスク上面から示す図である。
【００１９】
図３に示すように、情報データ領域１には情報データを担う記録ピットＰｔ１によるピット列が形成されている。又、リードイン領域２には、上記リードインデータを担う記録ピットＰｔ１によるピット列が形成されている。尚、リードイン領域２における上記ディスク識別情報を記録すべき領域ＷＥ内では、図３に示す如く、かかるディスク識別情報に対応した形態でウォブルするピット列が形成されている。ＰＥＰ領域４には、上記凸凹識別情報を含む再生制御データに対して位相符号化処理を施して得られた位相符号化信号に対応した記録ピットＰｔ２によるピット列が形成されている。この際、ＰＥＰ領域４に形成されている記録ピットＰｔ２の各々は、同一の記録ピット長を有するものである。尚、ＰＥＰ領域４内において、記録ピットＰｔ２の各々は、互いに隣接する複数のトラック上においてトラック直交方向に整列するように形成されている。
【００２０】
ここで、第１記録層ＲＹ１においては、上記記録ピットＰｔ１及び記録ピットＰｔ２の各々は、図４(ａ)に示す如くディスク表面に対して突出した凸状の記録ピットである。一方、第２記録層ＲＹ２では、上記記録ピットＰｔ１及び記録ピットＰｔ２の各々は、図４(ｂ)に示す如くディスク表面に対して窪んだ凹状の記録ピットである。
【００２１】
このように、第１記録層ＲＹ１には凸状、第２記録層ＲＹ２には凹状の記録ピットが夫々記録されているので、上記実施例においては上記凸凹識別情報は、その状態を表す[０１]なる２ビットデータとなる。尚、第１記録層ＲＹ１に凹状、第２記録層ＲＹ２に凸状の記録ピットが夫々記録されている場合には、凸凹識別情報は[１０]なる２ビットデータとなる。又、第１記録層ＲＹ１及び第２記録層ＲＹ２に共に凸状の記録ピットが記録されている場合には[００]、第１記録層ＲＹ１及び第２記録層ＲＹ２に共に凹状の記録ピットが記録されている場合には[１１]なる２ビットデータとなる。
【００２２】
図５は、上述した如き構造を有する記録ディスクを製造する為の原盤記録装置の構成の一例を示す図である。
【００２３】
原盤１５の表面には、上記第１記録層ＲＹ１(第２記録層ＲＹ２)に対応したレジストパターンを作成する為のレジスト層が形成されている。スピンドルモータ１７は、原盤１５を角速度一定にて回転する。送りステージ１８は、原盤１５及びスピンドルモータ１７を原盤１５における半径方向に移動する。電子ビーム照射装置１０は、記録ディスクに記録すべく入力された上記情報データ、再生制御データ及びリードインデータに応じて、原盤１５のレジスト層表面に電子ビームを照射する。
【００２４】
コントローラ２５は、電子ビーム照射装置１０、スピンドルモータ１７及び送りステージ１８を制御することにより第１記録層ＲＹ１に対応したレジストパターン、並びに第２記録層ＲＹ２に対応したレジストパターンを夫々作成する。
【００２５】
先ず、コントローラ２５は、図３に示す如き情報データ領域１に対応したレジスト層表面の箇所に情報データに応じて電子ビームを照射させるべく電子ビーム照射装置１０を制御する。これにより、情報データ領域１に対応したレジスト層表面の箇所には、情報データを担う記録ピットＰｔ１に対応した潜像が形成される。又、コントローラ２５は、リードイン領域２に対応したレジスト層表面の箇所に対して、上記リードインデータに応じて電子ビームを照射させるべく電子ビーム照射装置１０を制御する。これにより、リードイン領域２に対応したレジスト層表面の箇所には、上記リードインデータを担う記録ピットＰｔ１に対応した潜像が形成される。更に、コントローラ２５は、上記ＰＥＰ領域４に対応したレジスト層表面の箇所に対し、上記再生制御データに位相符号化処理を施して得られた位相符号化信号に応じて電子ビームを照射させるべく電子ビーム照射装置１０を制御する。これにより、ＰＥＰ領域４に対応したレジスト層表面の箇所には、上記再生制御データを担う記録ピットＰｔ２に対応した潜像が形成される。
【００２６】
尚、再生制御データに対する位相符号化処理は例えば以下の如く為される。
【００２７】
先ず、上記ＰＥＰ領域４内では原盤１５の１回転分の長さに相当する記録トラックを１トラックと捉える。この際、図６に示すように、１トラックは３つのセクタに区分される。各セクタは、例えば１７７ビット長からなり、そのセクタ間には１１ビットのギャップが設けられている。１セクタは、１６ビットのプリアンブル、１ビットの同期シンク、２４ビットのトラックアドレス及びセクタアドレス、１２８ビットの再生制御データ、及び８ビットの誤り検出符号とからなる。この際、上記再生制御データ内には、第１記録層ＲＹ１に凸状、第２記録層ＲＹ２に凹状の記録ピットが夫々形成されていることを示す[０１]なる２ビットの凸凹識別情報が含まれている。
【００２８】
コントローラ２５は、上記プリアンブル、同期シンク、トラックアドレス、セクタアドレス、再生制御データ、及び誤り検出符号各々に対して図７(ａ)又は図７(ｂ)に示す如き位相符号化処理を施して、各ビットの論理レベルに応じた位相符号化信号を得る。例えば、再生制御データ中の論理レベル０のビットは、図７(ａ)に示す如き、所定期間Ｔの前半区間ＡＭにおいて論理レベル１及び０の変化を繰り返し、後半区間ＰＭでは論理レベル０固定の位相符号化信号に変換される。一方、再生制御データ中の論理レベル１のビットは、図７(ｂ)に示す如き、所定期間Ｔの前半区間ＡＭでは論理レベル０固定であり、その後半区間ＰＭにおいて論理レベル１及び０の変化を繰り返す位相符号化信号に変換される。コントローラ２５は、かかる位相符号化処理によって得られた１セクタ分の位相符号化信号を、図６に示す如き３つのセクタにおいて繰り返し用いることにより１トラック分の位相符号化信号を生成する。更に、コントローラ２５は、かかる１トラック分の位相符号化信号をＮ回繰り返し電子ビーム照射装置１０に供給する。電子ビーム照射装置１０は、供給された位相符号化信号が論理レベル１である期間に限り電子ビームを原盤１５のレジスト層表面に照射する。これにより、ＰＥＰ領域４に対応したレジスト層表面の箇所には、図３に示す如き形態で記録ピットＰｔ２によるピット列の記録されたデータ０区間及びデータ１区間が形成される。データ０区間及びデータ１区間とは、ＰＥＰ領域に記録すべき位相符号化処理前の各種データ(図４に示すプリアンブル、同期シンク、トラックアドレス、セクタアドレス、再生制御データ、及び誤り検出符号)の１ビット分を記録するのに費やされる記録トラック上の区間である。この際、データ０区間とは論理レベル０のデータビットを表す区間であり、その前半区間ＡＭでは記録ピットＰｔ２に対応した潜像が繰り返し形成され、後半区間ＰＭでは潜像が一切形成されない。一方、データ１区間とは論理レベル１のデータビットを表す区間であり、その前半区間ＡＭでは潜像が一切形成されず、後半区間ＰＭのみで記録ピットＰｔ２に対応した潜像が繰り返し形成される。この際、ＰＥＰ領域４内では、互いに隣接するＮ本の記録トラック上の各々において、記録ピットＰｔ２に対応した潜像がディスク半径方向、つまり記録トラックと直交する方向に整列して形成される。すなわち、図３に示す一例においては、ＰＥＰ領域４内では、上記再生制御データに対応した１トラック分の位相符号信号が、互いに隣接する５本の記録トラック上において同様に記録されるのである。
【００２９】
ここで、原盤１５への記録(レジスト層への潜像形成)が終了したら、この原盤１５のレジスト層に形成されている潜像部のみを除去することにより、第１記録層ＲＹ１(第２記録層ＲＹ２)を形成するためのレジストパターンを作成する。そして、かかるレジストパターンにより、凸状の記録ピットＰｔ１及びＰｔ２によるピット列が形成されている第１記録層ＲＹ１と、凹状の記録ピットＰｔ１及びＰｔ２によるピット列が形成されている第２記録層ＲＹ２を夫々作成するのである。
【００３０】
次に、上述した如き第１記録層ＲＹ１及び第２記録層ＲＹ２を有する記録ディスクから記録情報の再生を行う再生装置について説明する。
【００３１】
図８は、かかる再生装置の構成を示す図である。
【００３２】
図８において、ピックアップ８１は、スピンドルモータ８２によって回転する記録ディスク８０の第１記録層ＲＹ１又は第２記録層ＲＹ２に読取ビーム光を照射する。ピックアップ８１には、図１に示す如き形態で配置された４つの光検出器２０ａ〜２０ｄが搭載されており、各々が記録ディスク８０からの反射光を個別に受光して光電変換して得た読取信号Ｒａ〜Ｒｄを加算読取信号生成回路８３及びプッシュプル読取信号生成回路８４の各々に供給する。スライダ機構９１は、ピックアップ８１をディスク半径方向に移動せしめる。
【００３３】
加算読取信号生成回路８３は、読取信号Ｒａ〜Ｒｄ各々を加算して得た加算読取信号ＲSUMを情報データ復調回路８５及び再生制御データ復号回路８６の各々に供給する。情報データ復調回路８５は、かかる加算読取信号ＲSUMに対して所定の復調処理を行うことにより、第１記録層ＲＹ１又は第２記録層ＲＹ２の情報データ領域１及びリードイン領域２に記録されているデータを再生し、これを再生情報データとして出力する。
【００３４】
再生制御データ復号回路８６は、かかる加算読取信号ＲSUM中に存在する図７(ａ)又は図７(ｂ)に示す如き形態の位相符号化信号に対して位相復号処理を施すことにより、データ０又はデータ１からなる再生制御データを復元し、これをコントローラ１００に供給する。
【００３５】
プッシュプル読取信号生成回路８４は、上記読取信号Ｒａ〜Ｒｄ各々を用いた下記演算によりプッシュプル読取信号ＲPPを生成し、これを極性反転回路８８に供給する。
【００３６】
ＲPP＝(Ｒａ＋Ｒｂ)−(Ｒｃ＋Ｒｄ)
尚、上記プッシュプル読取信号ＲPPを得るには、必ずしも読取信号Ｒａ〜Ｒｄを全て用いる必要はない。要するに、プッシュプル読取信号生成回路８４としては、光検出器２０ａ〜２０ｄの内、トラック直交方向に配列された光検出器２０ａ及び２０ｄ(又は２０ｂ及び２０ｃ)から出力された読取信号Ｒａ及びＲｄ(又はＲｂ及びＲｃ)同士の差分を求め、これをプッシュプル読取信号ＲPPとすれば良いのである。
【００３７】
極性反転回路８８は、コントローラ１００から論理レベル１の極性反転信号ＰＶが供給された場合には、上記プッシュプル読取信号ＲPPの極性を反転させた信号をプッシュプル読取信号ＲPP'としてウォブル信号処理回路８９及びトラッキングサーボ回路９０各々に供給する。一方、論理レベル０の極性反転信号ＰＶが供給された場合には、極性反転回路８８は、上記プッシュプル読取信号ＲPPをそのままプッシュプル読取信号ＲPP'としてウォブル信号処理回路８９及びトラッキングサーボ回路９０各々に供給する。ウォブル信号処理回路８９は、上記プッシュプル読取信号ＲPP'に基づき、図３に示すリードイン領域２の領域ＷＥ内に形成されている記録ピット列のウォブル形態に基づいてディスク識別情報を抽出し、これをコントローラ１００に供給する。
【００３８】
トラッキングサーボ回路９０は、コントローラ１００からトラッキングサーボオン信号が供給された場合には、上記ピックアップ８１、プッシュプル読取信号生成回路８４、極性反転回路８８及びトラッキングサーボ回路９０によるトラッキングサーボループをクローズ状態にする。この際、トラッキングサーボ回路９０は、上記プッシュプル読取信号ＲPP'に基づいてトラッキングエラー信号を生成し、これをピックアップ８１に供給する。これにより、ピックアップ８１は、その読取ビーム光を記録ディスク８０に記録されている記録ピット列に追従させるべく、上記トラッキングエラー信号に応じた分だけ読取ビーム光の光軸をトラック直交方向に偏倚させる。一方、コントローラ１００からトラッキングサーボオフ信号が供給された場合には、トラッキングサーボ回路９０は、上記トラッキングサーボループをオープン状態にする。これにより、読取ビーム光の記録ピット列に対する追従動作、つまりトラッキング動作が為されなくなる。
【００３９】
次に、図８に示す再生装置の動作について説明する。
【００４０】
図９は、かかる再生装置に記録ディスク８０が装着された際に実施される凸凹識別情報取得サブルーチンを示す図である。
【００４１】
図９において、先ず、コントローラ１００は、スピンドルモータ８２の回転を開始させる(ステップＳ１)。次に、コントローラ１００は、トラッキングサーボオフ信号をトラッキングサーボ回路９０に供給する(ステップＳ２)。かかるステップＳ２の実行によりトラッキングサーボループがオープン状態になる。次に、コントローラ１００は、第１記録層ＲＹ１のＰＥＰ領域４の先頭位置にピックアップ８１を移動させるべくスライダ機構９１を制御し(ステップＳ３)、その位置から記録情報の読み取りを開始させるべくピックアップ８１を制御する(ステップＳ４)。ステップＳ３及びＳ４の実行により、ピックアップ８１は第１記録層ＲＹ１のＰＥＰ領域４の先頭位置に移送され、そこから記録情報の読み取りを開始する。この際、トラッキングサーボループがオープン状態になっているので、ピックアップ８１から照射された読取ビーム光は、ＰＥＰ領域４内において各トラックを横切るように、例えば図３に示す白抜き矢印上をトレースすることになる。尚、前述したように、ＰＥＰ領域４内においては再生制御データを担うディスク１周分の記録ピット列がそのまま、互いに隣接する複数のトラックにも同様に形成されている。更に、かかるＰＥＰ領域内においては、図３に示す如く、各記録ピットＰｔ２がディスク半径方向、つまりトラック直交方向において整列するような形態で記録されている。従って、例え読取ビーム光が各トラックを横切るように移動することになっても、ピックアップ８１は、１トラック上から正しく情報読み取りを行った場合と同等な位相符号化信号をＰＥＰ領域４から読み取ることが可能となるのである。ここで、再生制御データ復号回路８６は、かかる位相符号化信号に対して位相復号処理を施すことにより、データ０又はデータ１からなる再生制御データを復元し、これをコントローラ１００に供給する。
【００４２】
コントローラ１００は、かかる再生制御データ中から凸凹識別情報を抽出し、これを凸凹識別情報レジスタ１０１に記憶させ(ステップＳ５)、メインルーチン(図示せぬ)の実行に戻る。
【００４３】
図９に示す凸凹識別情報取得サブルーチンによれば、先ず、記録ディスク８０の第１記録層ＲＹ１及び第２記録層ＲＹ２各々に記録されている記録ピットが凹状であるか、又は凸状であるのかを示す凸凹識別情報がＰＥＰ領域４から読み取られる。そして、この凸凹識別情報が凸凹識別情報レジスタ１０１に記憶されるのである。
【００４４】
ここで、かかる記録ディスク８０第１記録層ＲＹ１又は第２記録層ＲＹ２の情報データ領域１から情報データの再生を行うにあたり、コントローラ１００は、図１０に示すプッシュプル読取信号極性設定サブルーチンを実行する。
【００４５】
図１０において、先ず、コントローラ１００は、凸凹識別情報レジスタ１０１に記憶されている凸凹識別情報に基づき、再生対象とする記録層(第１記録層ＲＹ１又は第２記録層ＲＹ２)に記録されている記録ピットが凹状であるか否かの判定を行う(ステップＳ１１)。ステップＳ１１において凹状記録ピットであると判定されると、コントローラ１００は、論理レベル１の極性反転信号ＰＶを極性反転回路８８に供給する(ステップＳ１２)。ステップＳ１２の実行により、極性反転回路８８は、上記プッシュプル読取信号ＲPPの極性を反転したプッシュプル読取信号ＲPP'を、ウォブル信号処理回路８９及びトラッキングサーボ回路９０各々に供給する。一方、上記ステップＳ１１において凹状記録ピットではないと判定されると、コントローラ１００は、論理レベル０の極性反転信号ＰＶを極性反転回路８８に供給する(ステップＳ１３)。ステップＳ１３の実行により、極性反転回路８８は、上記プッシュプル読取信号ＲPPをそのままプッシュプル読取信号ＲPP'としてウォブル信号処理回路８９及びトラッキングサーボ回路９０各々に供給する。上記ステップＳ１２又はＳ１３の実行後、コントローラ１００は、トラッキングサーボオン信号をトラッキングサーボ回路９０に供給する(ステップＳ１４)。次に、コントローラ１００は、情報データの再生対象となる記録層のリードイン領域２に対する情報読み取りを開始させるべくピックアップ８１を制御する(ステップＳ１５)。かかるステップＳ１４及びＳ１５の実行により、再生対象となる記録層のリードイン領域２からリードインデータの取得が為され、この記録層の情報データ領域１に対する情報データ再生が可能となる。
【００４６】
このように、図１０に示すプッシュプル読取信号極性設定サブルーチンでは、先ず、記録ディスク８０のＰＥＰ領域４から読み取られた凸凹識別情報に基づいて、これから再生対象とする記録層に記録されている記録ピットが凹状であるか否かの判定を行う。この際、記録ピットが凹状ではない、つまり凸状であると判定された場合にはプッシュプル読取信号生成回路８４にて生成されたプッシュプル読取信号の極性をそのまま維持すべき設定が為される。一方、凹状であると判定された場合には、上記プッシュプル読取信号の極性を反転すべき設定が為される。従って、再生対象とする記録層に記録されている記録ピットが凸状である場合にはプッシュプル読取信号生成回路８４にて生成されたプッシュプル読取信号に応じたトラッキング制御が為される一方、凹状である場合には極性反転したプッシュプル読取信号に応じたトラッキング制御が為されるようになる。
【００４７】
尚、上記実施例においては、図８に示す如き２つの記録層(ＲＹ１、ＲＹ２)を備えた記録ディスク８０を一例にとって説明したが、本発明は、３つ以上の複数の記録層を備えた記録ディスクに対しても同様に適用可能である。又、記録ディスクを製造するにあたり、凸状の記録ピットを採用するか、あるいは凹状の記録ピットを採用するのかがディスク製造メーカの意志に委ねられている場合には、記録層を１つだけ備えた単層の記録ディスクに対しても適用可能であり、同様な効果が得られる。
【００４８】
又、上記実施例においては、凸状又は凹状の記録ピットが記録されている記録ディスクを例にとって説明したが、相変化記録又は光磁気記録等によって記録面上の特性を変化させることにより情報データの書込を可能にしたＤＶＤ−Ｒの如き記録ディスクにも適用可能である。
【００４９】
図１１は、このような書き込み可能な記録ディスクにおいて、一般用に市販される記録ディスクの概略の領域区分を示す平面図である。
【００５０】
図１１に示すように、かかる記録ディスクは、情報データ領域１１０、リードイン領域１２０、リードアウト領域１３０、及びＢＣＡ(burst cutting area)１４０に区分けされている。
【００５１】
情報データ領域１１０は、映像、音声、コンピュータデータの如き各種情報データが記録される領域である。又、リードイン領域１２０は、情報データ領域１１０に記録された各情報データ片の記録位置、再生所有時間、ディスク識別情報等を含むリードインデータが記録される領域である。又、ＢＣＡ１４０は、トラッキング情報、凸凹識別情報等を含む再生制御データがバーコード(後述する)によって記録されている領域である。尚、トラッキング情報とは、上記情報データ領域１１０及びリードイン領域１２０から記録情報の読み取りを行う際に実施すべきトラッキング方法を指定する情報である。又、上記凸凹識別情報とは、情報データ及びリードインデータを情報データ領域１１０及びリードイン領域１２０各々内の凸状部に記録するのか、あるいは凹状部に記録するのかを指定する為の情報である。
【００５２】
図１２は、情報データ領域１１０、リードイン領域１２０、ＢＣＡ１４０各々内での形態をディスク上面から示す図である。
【００５３】
図１２に示すように、情報データ領域１１０及びリードイン領域１２０には、ウォブリングしたグルーブトラックＧＴ及びランドトラックＬＴが交互に螺旋状に形成されている。尚、図１３(ａ)又は図１３(ｂ)に示す如く、グルーブトラックＧＴは凸状であり、ランドトラックＬＴは凹状である。ここで、かかる記録ディスクに情報データを書き込むべく、ディスクレコーダは、ランドトラックＬＴ又はグルーブトラックＧＴのいずれか一方に、情報データに応じて断続的に記録ビームを照射する。この際、記録ビームの照射された箇所は、照射されなかった箇所とは異なる特性(例えば、反射率、磁化方向等)を有する領域となる。尚、この領域は平坦であり、前述した記録ピットの如き凸凹形状を有するものではないが、記録ピットに対応したものである為、以降、仮想ピットと称する。ここで、情報データに対応した記録ビームがグルーブトラックＧＴ上に照射された場合には、図１３(ａ)に示す如く、凹状部としてのグルーブトラックＧＴ上に仮想ピットＶＰが形成される。一方、情報データに対応した記録ビームがランドトラックＬＴ上に照射された場合には、図１３(ｂ)に示す如く、凸状部としてのランドトラックＬＴ上に仮想ピットＶＰが形成される。この際、情報データを担う仮想ピットＶＰを凹状部としてのグルーブトラックＧＴに記録するのか、あるいは凸状部としてのランドトラックＬＴに記録するのかを指定する凸凹識別情報が図１２に示す如きＢＣＡ１４０内に記録されているのである。尚、ＢＣＡ１４０内においては、図１２に示す如くディスク内周から外周に向けて伸長する帯状のバーピットＢＰの配列パターンにより、上記凸凹識別情報を表している。よって、トラッキングサーボループがオープン状態であるが故に、読取ビーム光が図１２に示す如き白抜き矢印の軌跡をトレースすることになってもバーピットＢＰの配列パターンに基づく凸凹識別情報をＰＥＰ領域４と同様に読み取ることができる。
【００５４】
又、図１４は、書き込み可能な記録ディスクにおいて、契約業者のみに販売されるオーサリング用の記録ディスクの概略領域区分を示す平面図である。
【００５５】
図１４に示すように、かかる記録ディスクは、情報データ領域１１１、リードイン領域１２１、リードアウト領域１３１、及びＰＥＰ(phase encoded part)領域１４１に区分けされている。
【００５６】
情報データ領域１１１は、映像、音声、コンピュータデータの如き各種情報データが記録される領域である。又、リードイン領域１２１は、情報データ領域１１１に記録された各情報データ片の記録位置、再生所有時間、ディスク識別情報等を含むリードインデータが記録される領域である。又、ＰＥＰ領域１４１は、トラッキング情報、凸凹識別情報等を含む再生制御データが前述した如く位相符号化処理されて記録されている領域である。尚、凸凹識別情報とは、情報データ及びリードインデータを、情報データ領域１１１及びリードイン領域１２１各々内の凸状部に記録するのか、あるいは凹状部に記録するのかを指定する為の情報である。
【００５７】
図１５は、上記情報データ領域１１１、リードイン領域１２１、ＰＥＰ領域１４１各々内での形態をディスク上面から示す図である。
【００５８】
図１５に示すように、情報データ領域１１１及びリードイン領域１２１には、ウォブリングしたグルーブトラックＧＴ及びランドトラックＬＴが交互に螺旋状に形成されている。尚、図１３(ａ)又は図１３(ｂ)に示す如く、グルーブトラックＧＴは凸状であり、ランドトラックＬＴは凹状である。ここで、情報データに対応した記録ビームがグルーブトラックＧＴ上に照射されると、図１３(ａ)に示すように、記録ピットに対応した仮想ピットＶＰが凹状部としてのグルーブトラックＧＴ上に形成される。一方、情報データに対応した記録ビームがランドトラックＬＴ上に照射されると、図１３(ｂ)に示すように、記録ピットに対応した仮想ピットＶＰが凸状部としてのランドトラックＬＴ上に形成される。この際、情報データを担う仮想ピットＶＰを凹状部としてのグルーブトラックＧＴに記録するのか、あるいは凸状部としてのランドトラックＬＴに記録するのかを指定する凸凹識別情報が図１５に示す如きＰＥＰ領域１４１内に記録されているのである。尚、ＰＥＰ領域１４１内での記録形態は、ウォブリングしたグルーブトラックＧＴ又はランドトラックＬＴ上に記録ピットＰｔが形成される点を除き、基本的な形態は図３に示すものと同一である。
【００５９】
以上の如く、本発明による記録ディスクにおいては、トラッキングサーボオープン状態にて情報読取が可能なＢＣＡに、プッシュプル読取信号の極性を示す識別情報を予め記録しておくようにしている。
【００６０】
よって、プッシュプル方式によるトラッキング制御を採用した記録情報再生装置では、トラッキングサーボオープン状態にてかかる記録ディスクから上記識別情報を読み取り、この識別情報に応じてプッシュプル読取信号の極性設定が為されるので、試し読取を行うことなく迅速に情報再生動作を開始させることが可能となる。
【図面の簡単な説明】
【００６１】
【図１】ピックアップに搭載されている光検出器２０ａ〜２０ｄ各々の配列を示す図である。
【図２】本発明による記録ディスクの概略構成を示す図である。
【図３】本発明による記録ディスクの記録層の表面形態の一部を示す図である。
【図４】凹状記録ピット及び凸状記録ピットを夫々示す図である。
【図５】原盤記録装置の概略構成を示す図である。
【図６】ＰＥＰ領域４内における１トラックのフォーマットを示す図である。
【図７】データ１ビット長に相当する位相符号化信号の波形を示す図である。
【図８】本発明による再生装置の構成を示す図である。
【図９】図８に示す再生装置のコントローラ１００によって実施される凸凹識別情報取得サブルーチンを示す図である。
【図１０】図８に示す再生装置のコントローラ１００によって実施されるプッシュプル読取信号極性設定サブルーチンを示す図である。
【図１１】一般用に市販される書き込み可能な記録ディスクの概略領域区分を示す平面図である。
【図１２】図１１に示される記録ディスクの表面形態の一部を示す図である。
【図１３】情報データがランドトラックＬＴ上に記録された場合、並びにグルーブトラック上に記録された場合の形態の一例を夫々示す図である。
【図１４】オーサリング用の書き込み可能な記録ディスクの概略領域区分を示す平面図である。
【図１５】図１４に示される記録ディスクの表面形態の一部を示す図である。
【符号の説明】
【００６２】
１０    電子ビーム照射装置
１５    原盤
８０    記録ディスク
８１    ピックアップ
８４    プッシュプル読取信号生成回路
８８    極性反転回路
９０    トラッキングサーボ回路
25,100  コントローラ
１０１  凸凹識別情報レジスタ
【図１】
2006092732.tif 000003
【図２】
2006092732.tif 000004
【図３】
2006092732.tif 000005
【図４】
2006092732.tif 000006
【図５】
2006092732.tif 000007
【図６】
2006092732.tif 000008
【図７】
2006092732.tif 000009
【図８】
2006092732.tif 000010
【図９】
2006092732.tif 000011
【図１０】
2006092732.tif 000012
【図１１】
2006092732.tif 000013
【図１２】
2006092732.tif 000014
【図１３】
2006092732.tif 000015
【図１４】
2006092732.tif 000016
【図１５】
2006092732.tif 000017